(57)【要約】【課題】操作性に優れ、安全性を高めることができるスライド係合部材が設けられるプライヤーの係合部材の構造を提供する。【解決手段】本考案のプライヤーの係合部材の構造は、第１の本体１と第２の本体２とを開く動作を禁止又は解除することができるスライド係合部材３を有することにより、プライヤーの安全性を高めることができる。また、スライド係合部材３の設置位置が握持部４端部の第１の本体１と第２の本体２とが枢着される部位に近い位置であり、ユーザがプライヤーを持った際の親指の位置に対応する位置であるため、ユーザは、親指でスライド係合部材３をスライドさせるだけで、プライヤーの第１の本体１と第２の本体２とを開く動作を禁止又は解除することができる。本考案のプライヤーの係合部材の構造は、収納係合部材が握持部の端部に設置される従来のプライヤーの収納係合部材と比較し、操作性に優れる。【選択図】図１
0003189740.tif 000002
【実用新案登録請求の範囲】
【請求項１】
第１の本体、第２の本体及びスライド係合部材を備えるプライヤーの係合部材の構造であって、
前記第１の本体と前記第２の本体とは、互いに交差して枢着し、握持部及び挟持部を有し、前記第１の本体の握持部内面の枢着部位に近い位置には、設置台を有し、前記設置台には、少なくとも１つのガイドレールを有し、前記第２の本体の握持部内面の枢着部位に近い位置には、係合台を有し、
前記スライド係合部材には、前記ガイドレールにスライド可能に設置されるガイドロッドを有し、前記スライド係合部材には、スライドさせると前記係合台に係合又は解除可能な位置決めリブを有することを特徴とするプライヤーの係合部材の構造。
【請求項２】
前記設置台の両側には、ガイドレールをそれぞれ有し、前記スライド係合部材内面は、中空である上、前記設置台を被覆し、前記設置台に係合し、前記スライド係合部材の両内側面には、前記ガイドロッドをそれぞれ有することを特徴とする請求項１に記載のプライヤーの係合部材の構造。
【請求項３】
前記係合台の両側には、係合凸部をそれぞれ有し、前記スライド係合部材内面の両側には、前記係合凸部に対応して係合可能な係合リブをそれぞれ有し、前記係合台の中間位置には、２つの前記係合凸部が分離される状態で、応力溝を有することを特徴とする請求項２に記載のプライヤーの係合部材の構造。
【請求項４】
前記ガイドレール内面には、係合溝及び解除溝を有し、前記ガイドロッドには、前記係合溝又は前記解除溝に選択可能に嵌合する位置決め係合凸部を有することを特徴とする請求項２に記載のプライヤーの係合部材の構造。
【請求項５】
前記係合台の底面には、ガイド斜面を有し、前記位置決めリブ上面には、前記ガイド斜面に対応し、前記ガイド斜面に押圧すると、前記スライド係合部材を下方にスライドする弧状ガイド面を有することを特徴とする請求項２に記載のプライヤーの係合部材の構造。
【考案の詳細な説明】
【技術分野】
【０００１】
本考案は、プライヤーの係合部材の構造に関し、特に、２本の本体間に、２本の本体を開く動作を禁止又は解除することができるスライド係合部材が設けられることにより、プライヤーの安全性を高めることができるプライヤーの係合部材の構造に関する。
【背景技術】
【０００２】
一般に、物を切断したり、物を挟持したりするプライヤーは、２本の本体が交差して枢着されて構成される。２本の本体の一方の端部には、ユーザに握持される握持部が形成され、他方の端部には、物を挟持する挟持部が形成される。従来のプライヤーは、使用する際、一方の手の親指と人差し指のつけね部分で一方の握持部を握持し、残りの指で他方の握持部を握持する。また、親指と残りの指との間で握持部を開閉させて操作を行う。しかし、挟持した物を解放する際、握持部を反対方向に開く必要がある。この動作は、手を握る動作と反対の動作であるため、操作上不便である。特に、小型のプライヤーの場合、操作が更に難しい。この問題を解決するため、プライヤーの握持部間に弾性部材が設けられ、握持部を握持した際に、握持部を開く弾性力を発生させるものがある。これにより、ユーザは、握持部を開く動作を行う必要がないため、操作上の利便性が高い。
【０００３】
プライヤーは、挟持部が開いたままの場合、危険であるため、一般に、本体の端部に収納係合部材が設けられる。これにより、プライヤーを使用しない際、収納係合部材によって握持部を収納状態に固定し、プライヤーを安全な状態にすることができる。しかし、一般に、従来のプライヤーの収納係合部材は、本体の端部に設けられるため、ユーザが操作する際、他方の手で収納係合部材の操作を補助する必要がある。このため、特に高所で作業する場合、非常に不便である。
【０００４】
本考案の考案者は、当該技術に長年従事しており、従来のプライヤーの収納係合部材が有する問題に鑑み、長期にわたる研究開発の結果、本考案のプライヤーの係合部材の構造をついに案出した。
【０００５】
本考案のプライヤーの係合部材の構造は、２本の本体間にスライド係合部材が設けられる。スライド係合部材は、２本の本体を開く動作を禁止又は解除することができ、これにより、プライヤーの安全性を高めることができる。また、スライド係合部材は、ユーザがプライヤーを握持した際、親指部分に位置するため、親指で迅速にプライヤーの２本の本体を開く動作を禁止又は解除することができる。
【考案の概要】
【考案が解決しようとする課題】
【０００６】
本考案の目的は、２本の本体間に、２本の本体を開く動作を禁止又は解除することができるスライド係合部材が設けられることにより、プライヤーの安全性を高めることができるプライヤーの係合部材の構造を提供することにある。
【課題を解決するための手段】
【０００７】
上述の課題を解決するために、本考案のプライヤーの係合部材の構造は、第１の本体、第２の本体及びスライド係合部材を含む。第１の本体と第２の本体とは、互いに交差して枢着され、握持部及び挟持部が形成される。第１の本体の握持部内面の枢着部位に近い位置には、設置台が形成される。設置台には、少なくとも１つのガイドレールが形成される。第２の本体の握持部内面の枢着部位に近い位置には、係合台が形成される。
【０００８】
スライド係合部材には、ガイドレールにスライド可能に設置されるガイドロッドが形成される。スライド係合部材には、スライドさせることにより、係合台に係合又は解除することができる位置決めリブが形成される。
【０００９】
スライド係合部材をスライドさせ、位置決めリブと係合台とを係合又は解除することにより、第１の本体と第２の本体とを開く動作を禁止又は解除することができ、収納時、挟持部を挟合した状態にすることにより、プライヤーを安全な状態にすることができる。また、スライド係合部材の設置位置が握持部の端部の第１の本体と第２の本体とが枢着される部位に近い位置であり、ユーザがプライヤーを持った際の親指の位置に対応する位置であるため、ユーザは、親指でスライド係合部材をスライドさせるだけで、プライヤーの第１の本体と第２の本体とを開く動作を禁止又は解除することができる。
【００１０】
設置台の両側には、ガイドレールがそれぞれ設けられる。スライド係合部材内面は、中空である上、設置台を被覆し、設置台に係合される。スライド係合部材の両内側面には、ガイドロッドがそれぞれ形成される。
【００１１】
係合台の両側には、係合凸部がそれぞれ形成される。スライド係合部材内面の両側には、係合凸部に対応して係合させることができる係合リブがそれぞれ形成される。係合台の中間位置には、２つの係合凸部が分離される状態で、応力溝が形成される。
【００１２】
ガイドレール内面には、係合溝及び解除溝が形成される。ガイドロッドには、係合溝又は解除溝に選択可能に嵌合される位置決め係合凸部が形成される。
【００１３】
係合台の底面には、ガイド斜面が形成される。位置決めリブ上面には、ガイド斜面に対応する上、ガイド斜面に押圧されると、スライド係合部材を下方にスライドさせる弧状ガイド面が形成される。
【考案の効果】
【００１４】
本考案のプライヤーの係合部材の構造は、スライド方式で第１の本体と第２の本体とを開く動作を禁止又は解除することができるスライド係合部材を有するため、収納時、挟持部を挟合状態にし、プライヤーを安全な状態にする操作を簡単に行うことができる。また、スライド係合部材の設置位置が第１の本体と第２の本体とが枢着される部位に近い位置であり、ユーザがプライヤーを持った際の親指の位置に対応する位置であるため、ユーザは、親指でスライド係合部材をスライドさせるだけで、プライヤーの第１の本体と第２の本体とを開く動作を禁止又は解除することができる。従って、収納係合部材が握持部の端部に設置される従来のプライヤーの収納係合部材と比較し、本考案のプライヤーの係合部材の構造は、操作性に優れ、実用性及び進歩性を有し、社会に広めるに値する。
【図面の簡単な説明】
【００１５】
【図１】本考案のプライヤーの係合部材の構造を示す分解斜視図である。
【図２】本考案のプライヤーの係合部材の構造を示す斜視図である。
【図３】本考案のスライド係合部材と係合台とが係合された状態を示す断面図である。
【図４】本考案の位置決め係合凸部を係合溝に嵌合する状態、或いは、位置決め係合凸部を係合溝から解放する状態を示す一部断面図である。
【図５】ガイド斜面と弧状ガイド面とを対向させて圧迫し、スライド係合部材を自動的に後退させる状態を示す一部断面図である。
【図６】ガイド斜面と弧状ガイド面とを対向させて圧迫し、スライド係合部材を自動的に後退させる状態を示す一部断面図である。
【考案を実施するための形態】
【００１６】
本考案の目的、特徴および効果を示す実施形態を図面に沿って詳細に説明する。
【００１７】
本考案は、２本の本体間に、２本の本体を開く動作を禁止又は解除することができるスライド係合部材が設けられることにより、プライヤーの安全性を高めることができるプライヤーの係合部材の構造を提供するものである。図１〜図６に示すように、本考案のプライヤーの係合部材の構造は、第１の本体１、第２の本体２及びスライド係合部材３を含む。第１の本体１と第２の本体２とは、互いに交差して枢着され、握持部４及び挟持部５が形成される（本考案の実施形態における挟持部５は、プライヤーを例示するが、ニッパーなどにも応用することができる）。第１の本体１の握持部４内面の第１の本体１と第２の本体２とが枢着される部位に近い位置には、設置台１１が形成される。設置台１１には、少なくとも１つのガイドレール１２が形成される。第２の本体２の握持部４内面の第１の本体１と第２の本体２とが枢着される部位に近い位置には、係合台２１が形成される。
【００１８】
スライド係合部材３には、ガイドレール１２にスライド可能に設置されるガイドロッド３１が形成される。スライド係合部材３には、スライドさせることにより、係合台２１に係合又は解除することができる位置決めリブ３２が形成される。
【００１９】
スライド係合部材３をスライドさせ、位置決めリブ３２と係合台２１とを係合又は解除することにより、第１の本体１と第２の本体２とを開く動作を禁止又は解除することができ、収納時、挟持部５を挟合状態にすることにより、プライヤーを安全な状態にすることができる。また、スライド係合部材３の設置位置が握持部４端部の第１の本体１と第２の本体２とが枢着される部位に近い位置であり、ユーザがプライヤーを持った際の親指の位置に対応する位置であるため、ユーザは、親指でスライド係合部材３をスライドさせるだけで、プライヤーの使用を禁止又は解除することができる。
【００２０】
設置台１１の両側には、ガイドレール１２がそれぞれ設けられる。スライド係合部材３内面は、中空である上、設置台１１を被覆し、設置台１１に係合される。スライド係合部材３の両内側面には、ガイドロッド３１がそれぞれ形成される。これにより、スライド係合部材３全体が設置台１１を被覆し、設置台１１に係合され、スライド係合部材３両側側面が外部に露出した状態となるため、ユーザは、スライド係合部材３を親指で簡単に操作することができる。
【００２１】
係合台２１の両側には、係合凸部２１１がそれぞれ形成される。スライド係合部材３内面の両側には、係合凸部２１１に対応して係合することができる係合リブ３３がそれぞれ形成される。係合台２１の中間位置には、２つの係合凸部２１１が分離される状態で、応力溝２１２が形成される。これにより、スライド係合部材３を上方までスライドさせ、位置決めリブ３２と係合台２１とを係合させると、スライド係合部材３が第１の本体１と第２の本体２とが閉じた状態を仮位置決めするため、プライヤーを取り出す過程において、スライド係合部材３が脱落してプライヤーが開くのを防止することができる。
【００２２】
ガイドレール１２内面には、係合溝１２１及び解除溝１２２が形成される。ガイドロッド３１には、係合溝１２１又は解除溝１２２に選択可能に嵌合される位置決め係合凸部３４が形成される（図４参照）。位置決め係合凸部３４が係合溝１２１に嵌合されると、係合台２１と位置決めリブ３２とが互いに係合される位置で対向し、位置決め係合凸部３４が解除溝１２２に嵌合されると、係合台２１と位置決めリブ３２とが互いに分離する位置で対向する。これにより、スライド係合部材３を仮位置決めすることができるため、不適切にスライドするのを防止することができる。
【００２３】
係合台２１の底面には、ガイド斜面２１３が形成される。位置決めリブ３２上面には、ガイド斜面２１３に対応する上、ガイド斜面２１３に押圧されると、スライド係合部材３を下方にスライドさせる弧状ガイド面３２１が形成される。これにより、プライヤーを使用する際、スライド係合部材３が係合台２１を干渉する位置にある場合（即ち、図５に示すように、スライド係合部材３が係合台２１に係合されてないが、係合台２１に対向する位置にある場合）、ガイド斜面２１３及び弧状ガイド面３２１により、プライヤーを閉じると、スライド係合部材３が自動的に後退するため、作業が干渉されるのを防止することができる（図６参照）。
【００２４】
本考案のプライヤーの係合部材の構造は、第１の本体と第２の本体とを開く動作をスライド方式で禁止又は解除するスライド係合部材３を有するため、収納時、挟持部５を挟合状態にし、プライヤーを安全な状態にすることができる。また、スライド係合部材３の設置位置が握持部４の端部の第１の本体と第２の本体とが枢着される部位に近い位置であり、プライヤーを持った際の親指の位置に対応する位置であるため、ユーザは、親指でスライド係合部材３をスライドさせるだけで、プライヤーの第１の本体と第２の本体とを開く動作を禁止又は解除することができる。従って、収納係合部材が握持部の端部に設置される従来のプライヤーの収納係合部材と比較し、本考案のプライヤーの係合部材の構造は、操作性に優れる。
【００２５】
以上の説明は、本考案の好適な実施形態を示すものであり、本考案を限定するものではない。即ち、本考案の主旨を逸脱しない範囲における修飾又は変更、或いは、他の実施可能な形態及び同一の効果を有する構造は、本考案の保護範囲に含まれる。
【００２６】
上述したことから分かるように、本考案のプライヤーの係合部材の構造は、実用性を有し、開示された構造は、未発表の構造であるため、新規性を有する。また、本考案は、従来の構造の機能を更に高めることができるため、進歩性を有する。
【符号の説明】
【００２７】
１        第１の本体
１１      設置台
１２      ガイドレール
１２１    係合溝
１２２    解除溝
２        第２の本体
２１      係合台
２１１    係合凸部
２１２    応力溝
２１３    ガイド斜面
３        スライド係合部材
３１      ガイドロッド
３２      位置決めリブ
３２１    弧状ガイド面
３３      係合リブ
３４      位置決め係合凸部
４        握持部
５        挟持部
【図１】
0003189740.tif 000003
【図２】
0003189740.tif 000004
【図３】
0003189740.tif 000005
【図４】
0003189740.tif 000006
【図５】
0003189740.tif 000007
【図６】
0003189740.tif 000008